【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
少なくとも２つのデーター・フィードのデーター項目を備えている少なくとも１つのトピック・データー・フィードをユーザーに提示するように構成されているシステムであって、それぞれのデーター・フィードが少なくとも１つのデーター源によって提供され、前記システムが、
それぞれのデーター・フィード毎に、当該データー・フィードの前記データー源から前記データー項目を受信するように構成されているデーター項目受信コンポーネントと、
それぞれのデーター項目毎に、当該データー項目と関連のある少なくとも１つのトピックを識別するように構成されているトピック識別コンポーネントと、
ユーザーから少なくとも１つのトピックを受け取り、
前記ユーザーから受け取ったそれぞれのトピック毎に、
当該トピックを明示的に参照する前記データー・フィードの第１データー項目を選択し、
前記第１データー項目と関連があり且つ前記トピックを明示的に参照せず且つ前記第１データー項目を通じて前記トピックにコンテキスト的に関係している、前記データー・フィードの第２データー項目を識別し、
前記第１データー項目と前記第２データー項目とを備えているトピック・データー・フィードを発生し、
前記トピック・データー・フィードを前記ユーザーに提示する、
ように構成されているトピック・データー・フィード提示コンポーネントと、
を備えているシステム。
【請求項２】
請求項１記載のシステムにおいて、前記データー項目受信コンポーネントが、
データー源タイプ毎に、当該データー源タイプのデーター源のデーター・フィードのデーター項目を解析するように構成されている少なくとも１つのデーター源解析コンポーネントと、
それぞれのデーター源毎に、
前記データー源のデーター源タイプを識別し、
前記データー源のデーター源タイプ毎に、前記データー源のデーター項目を解析するために、前記データー源解析コンポーネントを呼び出す、
ように構成されているデーター源インターフェースと、
を備えているシステム。
【請求項３】
請求項１記載のシステムにおいて、
前記システムが、少なくとも１つのトピックとそれぞれ関連のあるデーター項目を格納するように構成されているデーター・ストアにアクセスすることができ、
前記トピック・データー・フィード提示コンポーネントが、
前記ユーザーから前記少なくとも１つのトピックを受け取ったときに、前記ユーザーと関連のあるデーター・ストアに前記トピックを格納し、
前記ユーザーからトピック・データー・フィードの要求を受け取ったときに、
前記ユーザーと関連のあるデーター・ストアの中にある前記少なくとも１つのトピックを、前記データー・ストアから引き出し、
それぞれのトピック毎に、前記トピック・データー・フィードを発生し、
前記トピック・データー・フィードを前記ユーザーに提示する、
ように構成されている、システム。
【請求項４】
少なくとも２つのデーター・フィードのデーター項目を備えている少なくとも１つのトピック・データー・フィードをユーザーに提示する方法であって、それぞれのデーター・フィードが少なくとも１つのデーター源によって提供され、前記方法が、プロセッサーを有するデバイス上において実行され、
それぞれのデーター・フィード毎に、
前記データー・フィードの前記データー源から前記データー項目を受信し、
それぞれのデーター項目毎に、当該データー項目と関連のある少なくとも１つのトピックを識別し、
ユーザーから少なくとも１つのトピックを受け取り、
前記ユーザーから受け取ったそれぞれのトピック毎に、
前記トピックを明示的に参照する前記データー・フィードの第１データー項目を選択し、
前記第１データー項目と関連があり且つ前記トピックを明示的に参照せず且つ前記第１データー項目を通じて前記トピックにコンテキスト的に関係している、前記データー・フィードの第２データー項目を識別し、
前記第１データー項目と前記第２データー項目とを備えているトピック・データー・フィードを発生し、
前記トピック・データー・フィードを前記ユーザーに提示する、
ように構成されている命令を前記プロセッサー上で実行するステップを備えている、方法。
【請求項５】
請求項４記載の方法において、データー・フィードの前記データー源から前記データー項目を受信するステップが、前記データー・フィードのデーター項目を受信するために、前記データー源に登録するステップを備えている、方法。
【請求項６】
請求項４記載の方法において、
少なくとも１つのトピックが、少なくとも１つのトピック・メタデーター項目と関連付けられており、
データー項目と関連のある少なくとも１つのトピックを識別するステップが、
前記トピックの前記トピック・メタデーター項目と一致する、前記データー項目の少なくとも１つのメタデーター項目を識別するステップを備えている、方法。
【請求項７】
請求項４記載の方法において、
前記トピックが、トピック識別子を有し、
データー項目と関連のある少なくとも１つのトピックを識別するステップが、
前記データー項目と関連のある少なくとも１つのトピック識別子を識別するステップを備えており、前記トピック識別子が、前記データー項目の当該トピック識別子を有するトピックとの関連付けを示す、方法。
【請求項８】
請求項４記載の方法において、
少なくとも１つのデーター項目が、表現を含み、
データー項目と関連のある少なくとも１つのトピックを識別するステップが、
前記表現によって参照される少なくとも１つのトピックを識別するために、自然言語解析器によって前記データー項目の表現を解析するステップを備えている、方法。
【請求項９】
請求項４記載の方法において、トピックをユーザーから受け取るステップが、
前記ユーザーの少なくとも１つのユーザー記述子を識別するステップと、
前記ユーザー記述子に基づいて、前記ユーザーにとって関心がある少なくとも１つのトピックを推論するステップと、
を備えている、方法。
【請求項１０】
請求項４記載の方法において、
少なくとも１つのトピックが、前記データー項目を備えている前記トピック・データー・フィードを発生するための少なくとも１つの規準を有した少なくとも１つのフィルターと関連付けられており、
前記トピック・データー・フィードを発生するステップが、
前記トピックと関連のある前記データー項目を備えている前記トピック・データー・フィードを発生するステップを備えており、前記トピックと関連のある前記フィルターにしたがって、前記データー項目が選択される、方法。
【請求項１１】
請求項１０記載の方法において、
前記フィルターの少なくとも１つの規準が、当該規準と符合するデーター項目に帰することができるスコアーを指定し、
前記トピック・データー・フィードを発生するステップが、
それぞれのデーター項目毎に、前記フィルターの前記少なくとも１つの規準にしたがって、前記データー項目について集計スコアーを計算するステップと、
前記トピックと関連のある前記データー項目を備えている前記トピック・データー・フィードを発生するステップであって、前記それぞれのデーター項目の集計スコアーにしたがって、前記データー項目が並べられている、ステップと、
を備えている、方法。
【請求項１２】
請求項４記載の方法において、
前記命令が、それぞれのトピック毎に、ユーザーにアクセス可能であり前記トピックと関連のある少なくとも１つのユーザー特定データー項目を識別するように構成されており、
前記トピック・データー・フィードを発生するステップが、
前記トピックと関連のある前記データー項目と、前記トピックと関連のある前記少なくとも１つのユーザー特定データー項目とを備えているトピック・データー・フィードを発生するステップを備えている、方法。
【請求項１３】
請求項１２記載の方法において、
少なくとも１つのユーザー特定データー項目が、前記ユーザーにアクセス可能であるアクセス制御データー項目を備えており、
前記少なくとも１つのユーザー特定データー項目を識別するステップが、前記ユーザーに代わって前記アクセス制御データー項目にアクセスするステップを備えている、方法。
【請求項１４】
請求項１２記載の方法において、
前記デバイスが、前記ユーザー特定データー項目を格納するように構成された第２デバイスを含む装備可能な計算環境の中において表され、
前記少なくとも１つのユーザー特定データー項目を識別するステップが、前記装備可能な計算環境を通じて前記第２デバイスから前記ユーザー特定データー項目を引き出すステップを備えている、方法。
【請求項１５】
請求項４記載の方法において、前記命令が、前記トピック・データー・フィードの第２データー項目と同等である第１データー項目を、前記トピック・データー・フィードから除去するように構成されている、方法。
【請求項１６】
請求項４記載の方法において、前記命令が、前記トピック・データー・フィードをユーザーに提示した後に前記トピック・データー・フィードのトピックと関連のある少なくとも１つのデーター項目を受け取ったときに、前記ユーザーに提示された前記トピック・データー・フィードを更新するように構成されている、方法。
【請求項１７】
請求項４記載の方法において、
トピック・データー・フィードをユーザーに提示するステップが、
トピック記述にしたがって前記トピック・データー・フィードを編成するステップと、
前記トピック記述を前記ユーザーに提示するステップと、
を備えている、方法。
【請求項１８】
請求項１６記載の方法において、
前記トピック・データー・フィードの第１データー項目が、前記トピック・データー・フィードの第２データー項目と応答関係を有し、
前記トピック記述を提示するステップが、前記第２データー項目と関連のある応答インディケータとともに、前記データー・フィードの前記第１データー項目を提示するステップを備えている、方法。
【請求項１９】
少なくとも２つのデーター・フィードのデーター項目を備えている少なくとも１つのトピック・データー・フィードをユーザーに提示する方法であって、それぞれのデーター・フィードが、少なくとも１つのデーター源によって提供され、前記方法が、プロセッサーを有し、ユーザー特定データー項目を格納するように構成されている第２デバイスを備えている装備可能な計算環境内において表現されているデバイス上で実行され、前記方法が、
それぞれのデーター・フィード毎に、
前記データー・フィードのデーター項目を受信するために、前記データー源に登録し、
前記データー・フィードの前記データー源から前記データー項目を受信し、
それぞれのデーター項目毎に、
前記トピックと関連のあるトピック・メタデーター項目と一致する、前記データーの少なくとも１つのメタデーター項目を識別すること、
前記データー項目と関連のある少なくとも１つのトピック識別子を識別し、前記トピック識別子が、前記データー項目の前記トピックのトピック識別子との関連付けを示すこと、
前記データー項目の表現によって参照される少なくとも１つのトピックを識別するために、自然言語解析器によって、前記表現を解析すること、
前記データー項目が関連付けられている第２データー項目と関連のある少なくとも１つのトピックが前記データー項目と関連があることを識別すること、
の内少なくとも１つによって、前記データー項目と関連のある少なくとも１つのトピックを識別し、
少なくとも１つのトピックをユーザーから受け取り、
それぞれのトピック毎に、
前記ユーザーから受け取られた少なくとも１つのトピックを明示的に参照する前記データー・フィードの少なくとも１つの第１データー項目を選択し、前記第１データー項目は、前記トピックと関連のある少なくとも１つのフィルターの少なくとも１つの規準にしたがって選択され、前記フィルターの少なくとも１つの規準は、当該規準と符合するデーター項目に帰することができるスコアーを指定し、
前記第１データー項目と関連があり且つ前記トピックを明示的に参照せず且つ前記第１データー項目を通じて前記トピックにコンテキスト的に関係している、前記データー・フィードの少なくとも１つの第２データー項目を識別し、
前記トピック・データー・フィードに対して選択された第１データー項目と第２データー項目のそれぞれ毎に、前記フィルターの前記少なくとも１つの規準にしたがって、前記データー項目に対する集計スコアーを計算し、
前記第２デバイス上に格納されており前記トピックと関連のある少なくとも１つのユーザー特定データー項目を識別し、
前記装備可能な計算環境を通じて、前記第２デバイスから少なくとも１つのユーザー特定データー項目を引き出し、
前記第１データー項目と、前記第２データー項目と、前記トピックと関連のある前記少なくとも１つのユーザー特定データー項目とを備えているトピック・データー・フィードを発生し、前記それぞれのデーター項目の前記集計スコアーにしたがって、前記データー項目が並べられており、
前記トピック・データー・フィードの別のデーター項目と同等であるデーター項目を、前記トピック・データー・フィードから除去し、
前記トピックのトピック記述にしたがって前記トピック・データー・フィードを編成し、
前記トピック記述を前記ユーザーに提示し、
前記トピック記述を前記ユーザーに提示した後にトピック・データー・フィードのトピックと関連のある少なくとも１つのデーター項目を受信したときに、前記ユーザーに提示された前記トピック記述を更新する、
ように構成されている命令を前記プロセッサー上で実行するステップを備え、
前記第２データー項目を識別するステップが、前記データー・フィードの前記第１データー項目と前記第２データー項目に対して自然言語コンテキスト分析を実行して、前記第１データー項目と前記第２データー項目において前記トピックのコンテキストインディケータを識別するステップを備えている、方法。